(57)【要約】【課題】視聴者が視聴したい番組の検索を行う場合に、提供されるチャンネル数および番組数の増大に対して、番組検索操作の負担が大きくなり、個々の番組内容を確認することが困難になる。【解決手段】多重放送信号から映像データと音声データとメタデータを分離するデータ分離手段１０と、メタデータから番組予告属性情報、番組本編属性情報を抽出するメタデータ抽出手段１１と、抽出された番組予告属性情報を利用してデータ分離手段１０における映像データ・音声データから番組予告本編の番組予告データを抽出し、抽出した番組予告データをコンテンツ確認支援用データとして記録媒体２２に記録する番組予告抽出手段１２と、抽出されたコンテンツ確認支援用データの記録位置と番組予告属性情報・番組本編属性情報とを対応付けてダイジェストとして保存管理するダイジェスト保存管理手段１３とを備える。【選択図】図１
2008028985.tif 000002
【特許請求の範囲】
【請求項１】
多重化された放送信号から映像データと音声データとメタデータを分離するデータ分離部と、
前記メタデータから番組予告属性情報および番組本編属性情報を抽出するメタデータ抽出部と、
前記メタデータ抽出部で抽出された前記番組予告属性情報を利用して、前記データ分離部で分離した映像データ・音声データから番組予告本編の番組予告コンテンツを抽出し、抽出した番組予告コンテンツをコンテンツ確認支援用データとして外付けの記録媒体に記録する番組予告抽出部と、
前記番組予告抽出部で抽出された前記コンテンツ確認支援用データと前記メタデータ抽出部で抽出された前記番組予告属性情報・番組本編属性情報とを対応付けてダイジェストとして保存管理するダイジェスト保存管理部とを備えたコンテンツ視聴支援回路。
【請求項２】
さらに、前記ダイジェスト保存管理部における前記ダイジェストから必要な１または２以上のダイジェストを選択してダイジェスト番組を作成するダイジェスト番組編集部と、
前記番組予告抽出部で抽出された前記コンテンツ確認支援用データを記録する記録媒体とのインターフェースと、
ダイジェスト番組の再生要求を行うダイジェスト番組再生要求部と、
前記ダイジェスト番組再生要求部からのダイジェスト番組の再生要求に対して前記ダイジェスト番組編集部における前記ダイジェスト番組の情報に従って前記記録媒体とのインターフェースを介して前記ダイジェスト番組にかかわるコンテンツ確認支援用データの再生制御を行うダイジェスト番組再生制御部と、
前記ダイジェスト番組再生制御部によって前記記録媒体から読み出されたダイジェスト番組のコンテンツ確認支援用データをデコードするデコード部と、
前記デコード部でデコードされた前記コンテンツ確認支援用データを外部に接続される出力装置に出力する出力部とを備えた請求項１に記載のコンテンツ視聴支援回路。
【請求項３】
前記インターフェースは、記録媒体を選択して、前記コンテンツ確認支援用データを転送する請求項２に記載のコンテンツ視聴支援回路。
【請求項４】
さらに、再生中の特定のダイジェストを指定するダイジェスト指定部と、
前記ダイジェスト指定部により指定されたダイジェストに対応する関連番組の前記番組本編属性情報を参照して録画予約または視聴予約の管理を行う予約管理部とを備えた請求項２に記載のコンテンツ視聴支援回路。
【請求項５】
前記メタデータ抽出部は、前記メタデータから、コンテンツの属性情報を管理するためのコンテンツ管理番号と、関連番組に該当するコンテンツを管理するための関連番組コンテンツ管理番号と、コンテンツの放送チャンネル、放送開始時刻および番組終端特定情報とを抽出する請求項１に記載のコンテンツ視聴支援回路。
【請求項６】
前記番組予告抽出部は、前記メタデータ抽出部が抽出したコンテンツの属性情報が番組予告であると判定したときに、該当するコンテンツの放送開始時刻が現在時刻に達した時点から前記番組予告コンテンツの抽出開始を制御し、該当するコンテンツの番組終端特定情報から算出した条件に達した時点で前記番組予告コンテンツの抽出終了を制御する請求項１に記載のコンテンツ視聴支援回路。
【請求項７】
前記ダイジェスト保存管理部は、
前記メタデータ抽出部が抽出したコンテンツの属性情報が番組予告であると判定したときにコンテンツの属性情報を管理する番組予告属性情報管理部と、
前記メタデータ抽出部が抽出したコンテンツの属性情報が番組本編であると判定したときにコンテンツの属性情報を管理する番組本編属性情報管理部と、
前記番組予告属性情報管理部における番組予告の関連番組コンテンツ管理番号と前記番組本編属性情報管理部における番組本編のコンテンツ管理番号との一致を検索する番組予告関連番組検索部と、
前記番組予告関連番組検索部が一致を検出したときに、前記番組予告属性情報管理部におけるコンテンツ管理番号と、前記番組本編属性情報管理部における関連番組コンテンツ管理番号、関連番組本編の放送チャンネル、放送開始時刻、番組終端特定情報と、前記コンテンツ管理番号に対応する前記記録媒体への前記コンテンツ確認支援用データの記録位置とを管理するダイジェスト属性情報管理部とから構成されている請求項１に記載のコンテンツ視聴支援回路。
【請求項８】
前記ダイジェスト保存管理部は、前記番組予告抽出部で新規に抽出した番組予告関連番組情報と前記ダイジェスト保存管理部にすでに管理されているダイジェストの番組予告関連番組情報の一部またはすべてが一致する場合には、新規に抽出した前記ダイジェストは保存管理の対象外とする請求項１に記載のコンテンツ視聴支援回路。
【請求項９】
前記コンテンツ確認支援用データは、番組予告映像データと番組予告音声データのうちの少なくともいずれか一方または両方である請求項１に記載のコンテンツ視聴支援回路。
【請求項１０】
多重化された放送信号から映像データと音声データとメタデータを分離するデータ分離手段と、
前記メタデータから番組予告属性情報および番組本編属性情報を抽出するメタデータ抽出手段と、
前記メタデータ抽出手段で抽出された前記番組予告属性情報を利用して、前記データ分離手段で分離した映像データ・音声データから番組予告本編の番組予告コンテンツをコンテンツ確認支援用データとして抽出する番組予告抽出手段と、
前記番組予告抽出手段で抽出された前記コンテンツ確認支援用データと前記メタデータ抽出手段で抽出された前記番組予告属性情報・番組本編属性情報とを対応付けてダイジェストとして保存管理するダイジェスト保存管理手段と、
前記番組予告抽出手段で抽出された前記コンテンツ確認支援用データを記録媒体へ転送するコンテンツ確認支援用データ転送手段とを備えたコンテンツ視聴支援装置。
【請求項１１】
前記コンテンツ確認支援用データ転送手段は、複数の記録媒体に対して少なくとも１つの前記記録媒体を選択して前記コンテンツ確認支援用データを転送する請求項１０に記載のコンテンツ視聴支援装置。
【請求項１２】
前記記録媒体が、コンテンツ確認支援用データ転送手段を介して同一機器内に接続されている請求項１１に記載のコンテンツ視聴支援装置。
【請求項１３】
前記記録媒体が、コンテンツ確認支援用データ転送手段を介して外部機器に接続される請求項１１に記載のコンテンツ視聴支援装置。
【請求項１４】
前記コンテンツ確認支援用データ転送手段は、前記番組予告属性情報を参照して前記記録媒体を選択し、前記コンテンツ確認支援用データを転送する請求項１１に記載のコンテンツ視聴支援装置。
【請求項１５】
前記コンテンツ確認支援用データ転送手段は、前記メタデータ抽出手段で抽出された前記番組予告属性情報に加えて、別途ユーザが指定した基準データを利用することで、前記コンテンツ確認支援用データの転送先の記録媒体を選択し、前記コンテンツ確認支援用データを転送する請求項１１に記載のコンテンツ視聴支援装置。
【請求項１６】
前記ダイジェスト保存管理手段における前記ダイジェストから必要な１または２以上のダイジェストを選択してダイジェスト番組を作成するダイジェスト番組編集手段と、
前記ダイジェスト番組の再生要求を行うダイジェスト番組再生要求手段と、
前記ダイジェスト番組再生要求手段からの前記ダイジェスト番組の再生要求に対して前記ダイジェスト番組編集手段における前記ダイジェスト番組の情報に従って前記記録媒体からのコンテンツ確認支援用データの再生制御を行うダイジェスト番組再生制御手段と、
前記ダイジェスト番組再生制御手段によって前記記録媒体から読み出された前記ダイジェスト番組のコンテンツ確認支援用データをデコードするデコード手段とを備えた請求項１０に記載のコンテンツ視聴支援装置。
【請求項１７】
さらに、再生中のダイジェスト番組から特定のダイジェストを指定するダイジェスト指定手段と、
前記ダイジェスト指定手段により指定されたダイジェストに対応する関連番組の前記番組本編属性情報を参照して録画予約または視聴予約の管理を行う予約管理手段とを備えた請求項１６に記載のコンテンツ視聴支援装置。
【請求項１８】
前記メタデータ抽出手段は、前記メタデータから、コンテンツの属性情報を管理するためのコンテンツ管理番号と、関連番組に該当するコンテンツを管理するための関連番組コンテンツ管理番号と、コンテンツの放送チャンネル、放送開始時刻および番組終端特定情報とを抽出する請求項１０に記載のコンテンツ視聴支援装置。
【請求項１９】
前記番組予告抽出手段は、前記メタデータ抽出手段が抽出したコンテンツの属性情報が番組予告であると判定したときに、該当するコンテンツの放送開始時刻が現在時刻に達した時点から前記番組予告コンテンツの抽出開始を制御し、該当するコンテンツの番組終端特定情報から算出した条件に達した時点で前記番組予告コンテンツの抽出終了を制御する請求項１０に記載のコンテンツ視聴支援装置。
【請求項２０】
前記ダイジェスト保存管理手段は、
前記メタデータ抽出手段が抽出したコンテンツの属性情報が番組予告コンテンツであると判定したときにコンテンツの属性情報を管理する番組予告属性情報管理手段と、
前記メタデータ抽出手段が抽出したコンテンツの属性情報が番組本編であると判定したときにコンテンツの属性情報を管理する番組本編属性情報管理手段と、
前記番組予告属性情報管理手段における番組予告の関連番組コンテンツ管理番号と前記番組本編属性情報管理手段における番組本編のコンテンツ管理番号との一致を検索し、すでに管理されているダイジェストの番組予告関連番組情報の一部またはすべてが一致する場合には、新規に抽出した前記ダイジェストは保存管理の対象外とする番組予告関連番組検索手段から構成されている請求項１０に記載のコンテンツ視聴支援装置。
【請求項２１】
請求項１０に記載のコンテンツ視聴支援装置と、
前記番組予告属性情報管理手段におけるコンテンツ管理番号と、前記コンテンツ管理番号に対応する前記記録媒体への前記コンテンツ確認支援用データの記録位置と、前記番組本編属性情報管理手段における関連番組コンテンツ管理番号、関連番組本編の放送チャンネル、放送開始時刻、番組終端特定情報とを管理するダイジェスト属性情報管理手段から構成されるコンテンツ記録支援装置。
【請求項２２】
前記コンテンツ確認支援用データは、番組予告映像データと番組予告音声データのうちの少なくともいずれか一方または両方である請求項１０に記載のコンテンツ視聴支援装置。
【発明の詳細な説明】
【技術分野】
【０００１】
本発明は、放送コンテンツについての視聴を支援するコンテンツ視聴支援回路およびコンテンツ視聴支援装置に関する。さらには、放送コンテンツの録画または視聴の予約を支援する技術内容も含む。対象となる放送はあらゆる放送であるが、主にデジタル放送である。また、通信媒体としては地上波放送、衛星を用いた衛星放送が主であるが、有線放送（ＣＡＴＶ）や電話回線を利用した放送であってもよい。
【背景技術】
【０００２】
現在のテレビジョン放送形態には、地上波放送、衛星放送、専用回線を用いた有線放送（ＣＡＴＶ）などがあり、多数の番組の視聴が可能である。加えて、インターネットを利用したパーソナル・コンピュータ（ＰＣ）で動画コンテンツを視聴可能とするネットワーク配信システムや、現在ＴＶ−Ａｎｙｔｉｍｅ Ｆｏｒｕｍで仕様策定が行われているサーバ型放送など、コンテンツ供給形態のさらなる多様化により、今後視聴可能なチャンネル数が増加し、視聴可能な番組数は増加の一途をたどると予想される。
【０００３】
このような視聴環境においては、視聴者の番組選択を支援するサービスが不可欠になる。これまでに視聴者の番組選択を支援するサービスとして、ＥＰＧ（Electronic Program Guide）に代表される放送時間帯とチャンネルの２軸で表現された番組表による番組選択サービスが提供されている。ＥＰＧで表示される番組情報は、文字情報をベースに構成されているので、番組内容の直感的把握はむずかしい。これを解消する従来技術に特許文献１がある。図２７は、特許文献１に記載されているタイム・テーブルを示す。
【０００４】
特許文献１に記載されている装置は、次回予告シーンの抽出手段、抽出した次回予告シーンの記録手段、メタデータを解析して番組本編情報と関連付けるメタデータ解析手段、放送時間とチャンネルの２軸で表現された番組表を作成する番組表作成手段から構成されている。メタデータとは、コンテンツの構成情報やその他の付加情報を記述したものである。受信した放送番組のメタデータを識別して次回予告シーンを録画蓄積し、ＥＰＧの番組本編枠の前に次回予告動画の再生を指定するための番組予告枠を差し込む。視聴者がＥＰＧを操作して番組予告枠を選択すると、番組本編に対応する次回予告シーンが再生され、番組本編の放送前に番組内容の概要を動画で確認することが可能となる。
【特許文献１】特開２００５−１５９７７０号公報（第５−１３頁、第１−１３図）
【発明の開示】
【発明が解決しようとする課題】
【０００５】
上記従来技術においては、番組予告動画を視聴するために、まずＥＰＧを操作して番組名あるいは番組概要を文字情報より目視確認し、次に番組予告枠を選択する、という複数の操作を視聴者に要求する。放送形態の多様化に伴いチャンネル数・番組数が増大すると、ＥＰＧ上で表示すべき文字情報が増大し、所望番組の選択に際してスクロールなど手動操作も増加する。したがって、従来技術のようなＥＰＧ上で行う一連の番組探索操作は、視聴者に多大な負荷を強いることになる。
【０００６】
また、番組本編と番組予告とを問わず恒常的に記録を継続するので、定常時の負荷が過大となってしまう。また、記録媒体の容量も過大なものになる。
【０００７】
本発明は、このような事情に鑑みて創作したものであり、視聴者による番組検索操作の負担を軽減することができるコンテンツ視聴支援回路およびコンテンツ視聴支援装置を提供することを目的としている。
【課題を解決するための手段】
【０００８】
（１）本発明によるコンテンツ視聴支援回路は、
多重化された放送信号から映像データと音声データとメタデータを分離するデータ分離部と、
前記メタデータから番組予告属性情報および番組本編属性情報を抽出するメタデータ抽出部と、
前記メタデータ抽出部で抽出された前記番組予告属性情報を利用して、前記データ分離部で分離した映像データ・音声データから番組予告本編の番組予告コンテンツを抽出し、抽出した番組予告コンテンツをコンテンツ確認支援用データとして外付けの記録媒体に記録する番組予告抽出部と、
前記番組予告抽出部で抽出された前記コンテンツ確認支援用データと前記メタデータ抽出部で抽出された前記番組予告属性情報・番組本編属性情報とを対応付けてダイジェストとして保存管理するダイジェスト保存管理部とを備えたものである。
【０００９】
上記構成のコンテンツ視聴支援回路に対応する本発明のコンテンツ視聴支援装置は、
多重化された放送信号から映像データと音声データとメタデータを分離するデータ分離手段と、
前記メタデータから番組予告属性情報および番組本編属性情報を抽出するメタデータ抽出手段と、
前記メタデータ抽出手段で抽出された前記番組予告属性情報を利用して、前記データ分離手段における映像データ・音声データから番組予告本編の番組予告コンテンツをコンテンツ確認支援用データとして抽出する番組予告抽出手段と、
前記番組予告抽出手段で抽出された前記コンテンツ確認支援用データと前記メタデータ抽出手段で抽出された前記番組予告属性情報・番組本編属性情報とを対応付けてダイジェストとして保存管理するダイジェスト保存管理手段と、
前記番組予告抽出手段で抽出された前記コンテンツ確認支援用データを記録媒体へ転送するコンテンツ確認支援用データ転送手段とを備えたものである。
【００１０】
本発明では、原則として、番組予告は放送局やスポンサー側で番組本編に関連する内容を集約し作成された放送コンテンツで、かつ、番組本編と番組本編の間で商品宣伝ＣＭ（コマーシャル・メッセージ）などと同じＣＭ時間帯に放送されるものを対象とする。
【００１１】
上記構成において、データ分離部（手段）において放送信号から映像データと音声データとメタデータが分離され、メタデータ抽出部（手段）においてメタデータから番組予告属性情報および番組本編属性情報が抽出される。抽出された番組予告属性情報と番組本編属性情報はダイジェスト保存管理部（手段）に渡される。そして、番組予告抽出部（手段）において番組予告属性情報を利用してデータ分離部（手段）で分離した映像データ・音声データから番組予告データ（番組予告映像データもしくは番組予告音声データまたはその両方）を抽出し、抽出した番組予告コンテンツをコンテンツ確認支援用データとして記録媒体に記録する。一方、ダイジェスト保存管理部（手段）は記録媒体に記録されたコンテンツ確認支援用データとメタデータ抽出部（手段）が抽出した番組予告属性情報・番組本編属性情報とを対応付けてダイジェストとして保存管理する。
【００１２】
すなわち、番組本編が実際に放送されるのに先立って、適時に放送されている番組予告から番組予告属性情報とともに番組本編属性情報を取得する。そして、放送信号から番組予告コンテンツ（番組予告映像データもしくは番組予告音声データまたはその両方）を取得し、コンテンツ確認支援用データとして記録媒体に記録するとともに、その記録媒体におけるコンテンツ確認支援用データの記録位置と番組予告属性情報・番組本編属性情報とを関連付けてダイジェストを生成する。これにより、番組本編の放送前に、コンテンツ確認支援用データとこれから放送される予定の番組本編との関連付けが行われる。上記の一連の処理は、ユーザが特に意識しなくても自動的に実行され、したがって、ユーザに対する番組検索操作の負担が軽減される。また、コンテンツ確認支援用データの自動的な蓄積は、番組本編に関連する番組予告に限定して行われるので、従来技術に比べて、記録媒体の容量および消費電力が削減される。
【００１３】
（２）また、本発明によるコンテンツ視聴支援回路は、上記の（１）において、さらに、
前記ダイジェスト保存管理部における前記ダイジェストから必要な１または２以上のダイジェストを選択してダイジェスト番組を作成するダイジェスト番組編集部と、
前記番組予告抽出部で抽出された前記コンテンツ確認支援用データを記録する記録媒体とのインターフェースと、
ダイジェスト番組の再生要求を行うダイジェスト番組再生要求部と、
前記ダイジェスト番組再生要求部からのダイジェスト番組の再生要求に対して前記ダイジェスト番組編集部における前記ダイジェスト番組の情報に従って前記記録媒体とのインターフェースを介して前記ダイジェスト番組にかかわるコンテンツ確認支援用データの再生制御を行うダイジェスト番組再生制御部と、
前記ダイジェスト番組再生制御部によって前記記録媒体から読み出されたダイジェスト番組のコンテンツ確認支援用データをデコードするデコード部と、
前記デコード部でデコードされた前記コンテンツ確認支援用データを外部に接続される出力装置に出力する出力部とを備えたものである。
【００１４】
上記構成のコンテンツ視聴支援回路に対応する本発明のコンテンツ視聴支援装置は、上記の（１）において、さらに、
前記ダイジェスト保存管理手段における前記ダイジェストから必要な１または２以上のダイジェストを選択してダイジェスト番組を作成するダイジェスト番組編集手段と、
前記ダイジェスト番組の再生要求を行うダイジェスト番組再生要求手段と、
前記ダイジェスト番組再生要求手段からの前記ダイジェスト番組の再生要求に対して前記ダイジェスト番組編集手段における前記ダイジェスト番組の情報に従って前記記録媒体からのコンテンツ確認支援用データの再生制御を行うダイジェスト番組再生制御手段と、
前記ダイジェスト番組再生制御手段によって前記記録媒体から読み出された前記ダイジェスト番組のコンテンツ確認支援用データをデコードするデコード手段とを備えたものである。
【００１５】
ダイジェスト番組編集部（手段）はダイジェスト保存管理部（手段）で管理されているダイジェスト群から所望のダイジェストを選択してダイジェスト番組を作成する。ここで、所望のダイジェストの選択基準としては、視聴者の視聴履歴情報、視聴者の嗜好情報、視聴者が与えるキーワードなどを用いるものとする。このように準備しておいた上で、ダイジェスト番組再生要求部（手段）から再生要求がなされると、ダイジェスト番組再生制御部（手段）は前記のダイジェスト番組の情報に従って記録媒体からコンテンツ確認支援用データを読み出し、デコード部（手段）でコンテンツ確認支援用データをデコードし、出力部（手段）から外部の出力装置に出力する。ダイジェスト番組再生制御部（手段）は、ダイジェスト番組が複数あるときは、所定の順序に従って、１つずつ順次に記録媒体から読み出し、デコード部（手段）から出力装置によってコンテンツ確認支援用データを自動的に再生する。以上のように、ダイジェストの検索を手動で行う必要がなく、ダイジェスト番組の提示が自動的に行われるので、ユーザの番組検索操作の負担が軽減される。コンテンツ確認支援用データとして、少なくとも映像データを採用すれば、番組内容の直感的な確認が容易に実現される。
【００１６】
上記構成において、前記インターフェースは、記録媒体を選択して、前記コンテンツ確認支援用データを転送するもの（コンテンツ確認支援用データ転送手段）とするのが好ましい。
【００１７】
（３）また、本発明によるコンテンツ視聴支援回路は、上記の（２）において、さらに、
再生中の特定のダイジェストを指定するダイジェスト指定部と、
前記ダイジェスト指定部により指定されたダイジェストに対応する関連番組の前記番組本編属性情報を参照して録画予約または視聴予約の管理を行う予約管理部とを備えたものである。
【００１８】
上記構成のコンテンツ視聴支援回路に対応する本発明のコンテンツ視聴支援装置は、上記の（２）において、さらに、
再生中のダイジェスト番組から特定のダイジェストを指定するダイジェスト指定手段と、
前記ダイジェスト指定手段により指定されたダイジェストに対応する関連番組の前記番組本編属性情報を参照して録画予約または視聴予約の管理を行う予約管理手段とを備えたものである。
【００１９】
ユーザは出力装置において順次に再生されるダイジェスト番組を確認し、録画または視聴の予約をしたい番組を認めたときは、ダイジェスト指定部（手段）によってその番組の指定を行う。その結果、予約管理部（手段）はその指定の番組についての録画または視聴の予約を実行する。ユーザとしては、ダイジェスト番組を再生しながらの番組指定だけで予約が実現され、直感的な確認と連携した簡易な操作で予約操作が行える。
【００２０】
上記の構成において、前記メタデータ抽出部（手段）は、前記メタデータから、コンテンツの属性情報を管理するためのコンテンツ管理番号と、関連番組に該当するコンテンツを管理するための関連番組コンテンツ管理番号と、コンテンツの放送チャンネル、放送開始時刻および番組終端特定情報とを抽出するという態様がある。これらの情報は、ダイジェスト保存管理部（手段）が生成するダイジェストの項目として管理される。
【００２１】
また上記の構成において、前記番組予告抽出部（手段）は、前記メタデータ抽出部（手段）が抽出したコンテンツの属性情報が番組予告であると判定したときに、該当するコンテンツの放送開始時刻が現在時刻に達した時点から前記番組予告コンテンツの抽出開始を制御し、該当するコンテンツの番組終端特定情報から算出した条件に達した時点で前記番組予告コンテンツの抽出終了を制御するという態様がある。
【００２２】
現在の放送信号が番組予告であるのか番組本編であるのかはコンテンツ属性情報によって判別される。番組予告であると判別したときは、番組予告抽出部（手段）によって番組予告属性情報に含まれる番組予告の放送開始時刻になったときから番組予告コンテンツの記録を始め、番組終端特定情報から算出した番組予告の放送終了時刻まで番組予告コンテンツの記録を行う。記録された番組予告コンテンツはコンテンツ確認支援用データとなる。
【００２３】
また上記の構成において、前記ダイジェスト保存管理部（手段）は、
前記メタデータ抽出部（手段）が抽出したコンテンツの属性情報が番組予告であると判定したときにコンテンツの属性情報を管理する番組予告属性情報管理部（手段）と、
前記メタデータ抽出部（手段）が抽出したコンテンツの属性情報が番組本編であると判定したときにコンテンツの属性情報を管理する番組本編属性情報管理部（手段）と、
前記番組予告属性情報管理部（手段）における番組予告の関連番組コンテンツ管理番号と前記番組本編属性情報管理部（手段）における番組本編のコンテンツ管理番号との一致を検索する番組予告関連番組検索部（手段）と、
前記番組予告関連番組検索部（手段）が一致を検出したときに、前記番組予告属性情報管理部（手段）におけるコンテンツ管理番号と、前記番組本編属性情報管理部（手段）における関連番組コンテンツ管理番号、関連番組本編の放送チャンネル、放送開始時刻、番組終端特定情報と、前記コンテンツ管理番号に対応する前記記録媒体への前記コンテンツ確認支援用データの記録位置とを管理するダイジェスト属性情報管理部（手段）とから構成されているという態様がある。
【００２４】
番組予告関連番組検索部（手段）によって番組予告属性情報に含まれる関連番組コンテンツ管理番号と番組本編属性情報に含まれる番組本編のコンテンツ管理番号との一致を検出すると、ダイジェスト属性情報管理部（手段）は、コンテンツ管理番号、関連番組コンテンツ管理番号、関連番組本編の放送チャンネル、放送開始時刻および番組終端特定情報と、記録媒体に対するコンテンツ確認支援用データの記録位置とを関連付けてダイジェストにする。
【００２５】
また上記の構成において、前記ダイジェスト保存管理部（手段）は、前記番組予告抽出部（手段）で新規に抽出した番組予告関連番組情報と前記ダイジェスト保存管理部（手段）にすでに管理されているダイジェストの番組予告関連番組情報の一部またはすべてが一致する場合には、新規に抽出した前記ダイジェストは保存管理の対象外とするという態様がある。重複を避けることにより、処理効率の向上と消費電力の削減が図られる。
【００２６】
また、本発明によるコンテンツ記録支援装置は、上記（１）のコンテンツ視聴支援装置と、
前記番組予告属性情報管理手段におけるコンテンツ管理番号と、前記コンテンツ管理番号に対応する前記記録媒体への前記コンテンツ確認支援用データの記録位置と、前記番組本編属性情報管理手段における関連番組コンテンツ管理番号、関連番組本編の放送チャンネル、放送開始時刻、番組終端特定情報とを管理するダイジェスト属性情報管理手段から構成されたものである。
【００２７】
また上記の構成において、前記コンテンツ確認支援用データは、番組予告映像データと番組予告音声データのうちの少なくともいずれか一方または両方であるものとする。
【００２８】
また上記の構成において、前記コンテンツ確認支援用データ転送手段は、複数の記録媒体に対して少なくとも１つの前記記録媒体を選択して前記コンテンツ確認支援用データを転送するという態様がある。
【００２９】
また上記の構成において、前記記録媒体が、コンテンツ確認支援用データ転送手段を介して同一機器内に接続されているという態様がある。
【００３０】
また上記の構成において、前記記録媒体が、コンテンツ確認支援用データ転送手段を介して外部機器に接続されるという態様がある。
【００３１】
また上記の構成において、前記コンテンツ確認支援用データ転送手段は、前記番組予告属性情報を参照して前記記録媒体を選択し、前記コンテンツ確認支援用データを転送するという態様がある。
【００３２】
また上記の構成において、前記コンテンツ確認支援用データ転送手段は、前記メタデータ抽出手段で抽出された前記番組予告属性情報に加えて、別途ユーザが指定した基準データを利用することで、前記コンテンツ確認支援用データの転送先の記録媒体を選択し、前記コンテンツ確認支援用データを転送するという態様がある。
【発明の効果】
【００３３】
本発明によれば、番組本編が実際に放送されるのに先立って、適時に放送されている番組予告から番組予告属性情報と番組本編属性情報を取得し、放送信号から取得した番組予告コンテンツをコンテンツ確認支援用データとして記録媒体に記録するとともに、コンテンツ確認支援用データの記録位置と番組予告属性情報・番組本編属性情報とを関連付けてダイジェストを生成するので、番組本編の放送前に、コンテンツ確認支援用データとこれから放送される予定の番組本編との関連付けを行うことができる。この処理は、ユーザが特に意識しなくても自動的に実行され、したがって、ユーザに対する番組検索操作の負担を軽減することができる。番組本編からハイライトシーンを検出する機構や、抽出したハイライトシーンのみを収集して１つのコンテンツにまとめる機構は必要でなく、より少ない構成で番組内容確認システムの構築が可能となる。また、コンテンツ確認支援用データの自動的な蓄積は、番組本編に関連する番組予告に限定して行われるので、従来技術に比べて、記録媒体の容量および消費電力を削減することができる。
【００３４】
また、ユーザがダイジェストの検索を手動で行うことなくダイジェスト番組を確認することが可能となり、ユーザの番組検索操作の負担を軽減することができる。コンテンツ確認支援用データに少なくとも映像データが含まれていれば、番組内容の直感的な確認が容易に実現できる。音声データが含まれていればなお良い。
【００３５】
また、録画または視聴の予約については、ダイジェスト番組を再生しながらの番組指定だけで予約を実現することができ、直感的な確認と連携した簡易な操作で予約操作を行うことができる。
【発明を実施するための最良の形態】
【００３６】
以下、本発明の実施の形態におけるコンテンツ視聴支援装置について、図面を参照しながら説明する。
【００３７】
（実施の形態１）
本発明の実施の形態１は、番組本編が実際に放送されるのに先立って、適時に放送されている番組予告コンテンツ（番組予告映像データ・番組予告音声データ）をコンテンツ確認支援用データとして取り込み、これを前記の番組予告に対応する番組本編の情報と関連付ける技術である。この関連付けによるダイジェストは、これから放送される予定の番組本編の検索や確認の支援に役立てるものとなる。
【００３８】
図１は本発明の実施の形態１におけるコンテンツ視聴支援装置の構成を表すブロック図である。
【００３９】
図１において、１０は多重化された放送信号から映像データと音声データと番組内容を表すメタデータ（コンテンツの構成情報やその他の付加情報を記述したもの）を分離するデータ分離手段、１１は分離されたメタデータからコンテンツ編集に必要な属性情報として番組予告属性情報および番組本編属性情報を抽出するメタデータ抽出手段、１２はメタデータ抽出手段１１で抽出した属性情報が番組予告属性情報の場合に、番組予告に対応する映像データと音声データをコンテンツ確認支援用データとして抽出する番組予告抽出手段、１３は、メタデータ抽出手段１１で抽出した属性情報（番組予告属性情報・番組本編属性情報）と番組予告抽出手段１２で抽出したコンテンツ確認支援用データ（番組予告コンテンツ（映像・音声データ））の記録位置とを対応付けてダイジェストとして保存管理するダイジェスト保存管理手段である。
【００４０】
番組予告抽出手段１２は、本コンテンツ視聴支援装置内での基準時刻を生成する基準時刻生成手段１４と、基準時刻生成手段１４による基準時刻と設定時刻（放送開始時刻、番組終端特定情報から算出した放送終了時刻）に達したときに通知を行う開始・終了監視手段１５と、データ分離手段１０で放送波から分離した映像データと音声データから番組予告の映像データと音声データを含むコンテンツ確認支援用データとして抽出し、記録媒体２２への転送制御を行うコンテンツ確認支援用データ転送手段２１に対してさらに前記コンテンツ確認支援用データの転送を行う確認支援用データ抽出制御手段１６から構成されている。開始・終了監視手段１５への放送開始時刻、番組終端特定情報の通知は、後述するダイジェスト保存管理手段１３における番組予告属性情報管理手段１７から行われる。
【００４１】
なお、確認支援用データ抽出制御手段１６が行う制御には、確認支援用データ記録・編集制御も含まれる。
【００４２】
ダイジェスト保存管理手段１３は、メタデータ抽出手段１１で抽出した関連番組情報を有する番組予告のメタデータ（例えば、コンテンツ管理番号、関連番組コンテンツ管理番号、放送チャンネル、番組予告放送開始時刻、番組予告放送終了時刻：図４、図６参照）を保存管理する番組予告属性情報管理手段１７と、メタデータ抽出手段１１で抽出した番組本編のメタデータ（例えば、コンテンツ管理番号、放送チャンネル、放送開始時刻、放送終了時刻：図５、図６参照）を保存管理する番組本編属性情報管理手段１８と、番組予告属性情報管理手段１７に保存されているレコードの関連番組コンテンツ管理番号と番組本編属性情報管理手段１８に保存されているレコードのコンテンツ管理番号が一致するかを判断する番組予告関連番組検索手段１９と、番組予告関連番組検索手段１９から一致の通知を受けたときに、番組予告抽出手段１２で抽出し、コンテンツ確認支援用データ転送手段２１で決定された記録媒体２２でのコンテンツ確認支援用データの記録位置（例えば、アドレス）と番組予告属性情報管理手段１７および番組本編属性情報管理手段１８で管理している番組予告関連番組情報（例えば、コンテンツ管理番号、関連番組コンテンツ管理番号、放送チャンネル、番組本編放送開始時刻、番組本編放送終了時刻、コンテンツ確認支援用データの記録位置：図６参照）とを対応付けてダイジェストとして保存管理するダイジェスト属性情報管理手段２０から構成されている。
【００４３】
なお、データ分離手段１０に入力される多重化された信号を供給する媒体はあらゆる放送であるが、主にデジタル放送である。また、通信媒体としては地上波放送、衛星放送が主であるが、有線放送（ＣＡＴＶ）や電話回線を利用した放送であってもよい。
【００４４】
なお、前記放送信号は、スクランブルなどの視聴制限が施された放送信号でもよい。そのような場合には、例えば、一例としてデータ分離手段１０でのデータ分離処理では、放送信号に対する視聴制限を解除する処理の後に、映像データ、音声データおよびメタデータの分離を行うことが考えられる。また、他の例として、視聴制限が施された放送信号のまま蓄積し、デコーダ側で再生時に視聴制限解除を行ってもよい。
【００４５】
なお、前記番組終端特定情報は、番組終了時刻情報、番組の放送時間の長さを表す情報、放送波に含まれる番組を特定するＩＤの変化点情報などに代表される番組の終端を特定可能な情報である。
【００４６】
なお、前記記録媒体は主にハードディスクであるが、メモリカード、光ディスクなどのその他の記録媒体であってもよい。
【００４７】
なお、前記コンテンツ確認支援用データの記録位置は、記録媒体上の記録領域を一意に識別できればよく、例えば、トラック番号、セクタ番号などの情報であってもかまわない。
【００４８】
図２はデータ分離手段１０で分離されメタデータ抽出手段１１に入力されるメタデータのデータ構造の一例を示す。このデータ構造は、番組予告コンテンツあるいは番組本編コンテンツを一意に特定するために送信時に付与されたコンテンツ管理番号と、そのコンテンツが番組予告であるか番組本編であるかを区別するコンテンツ属性情報と、コンテンツが番組予告である場合にコンテンツに関連する番組の有無を区別する関連番組有無情報と、そのコンテンツに関連する番組が存在する場合に関連番組のコンテンツ管理番号を指定する関連番組コンテンツ管理番号と、そのコンテンツの放送チャンネル情報、放送開始時刻および放送終了時刻を有している。メタデータには、コンテンツに付与されたタイトル情報、コンテンツの内容を示す分類情報（例えば、“スポーツ"、“ドラマ"などのジャンル情報）、パレンタルレベル情報、コンテンツに登場する出演者情報などコンテンツに関係する情報を付加してもよい。
【００４９】
なお、前記放送チャンネル情報は、選局を一意に識別できればよく、そのための情報が複数から構成されていてもよい。例えば、放送波に含まれるネットワーク情報、周波数情報などを複数参照し、組み合わせて放送チャンネルを特定する方法が考えられる。
【００５０】
次に、上記のように構成された本実施の形態のコンテンツ視聴支援装置の動作を説明する。
【００５１】
受信アンテナで受信する放送信号には、映像データ、音声データおよび番組内容を表すメタデータが多重されている。データ分離手段１０は多重化された放送信号から映像データと音声データと番組内容を表すメタデータを分離し、映像データ、音声データは番組予告抽出手段１２における確認支援用データ抽出制御手段１６に送出し、メタデータはメタデータ抽出手段１１に送出する。メタデータ抽出手段１１は、メタデータからコンテンツ編集に必要な属性情報として番組予告属性情報および番組本編属性情報を抽出し、番組予告属性情報は番組予告属性情報管理手段１７に送出し、番組本編属性情報は番組本編属性情報管理手段１８に送出する。
【００５２】
図３はメタデータ抽出手段１１で行うメタデータ抽出の処理手順の一例を示すフローチャートである。メタデータ抽出手段１１にメタデータが入力されると、ステップＳ１０から動作がスタートし、メタデータよりコンテンツ属性情報を読み込み、コンテンツが番組予告であるか番組本編であるかの判定を行う。
【００５３】
ステップＳ１０で判定した結果、コンテンツが番組予告であると判定した場合には、ステップＳ１１にてメタデータより関連番組有無情報を読み込み、コンテンツが関連番組に関する情報を保持しているかの判定を行う。
【００５４】
ステップＳ１１で判定した結果、関連番組が存在すると判定した場合には、メタデータが示すコンテンツは番組予告で、かつ、関連番組が存在することになるが、この場合は、ステップＳ１２にてメタデータよりコンテンツ管理番号、関連番組コンテンツ管理番号、放送チャンネル、放送開始時刻、放送終了時刻を読み込む。
【００５５】
また、ステップＳ１１で判定した結果、関連番組が存在しないと判定した場合には、メタデータを保存しない。
【００５６】
また、ステップＳ１０で判定した結果、コンテンツが番組予告でないと判定した場合には、メタデータが示すコンテンツは番組本編であると判定し、ステップＳ１３にてメタデータよりコンテンツ管理番号、放送チャンネル、放送開始時刻、放送終了時刻を読み込む。
【００５７】
ここで、図３のフローチャートでは、番組予告および番組本編以外のメタデータは事前に処理対象から除外されたものとして説明した。除外対象となるメタデータとしては、例えば、商品ＣＭ、公共広告などがある。
【００５８】
メタデータ抽出手段１１から番組予告属性情報を受け取った番組予告属性情報管理手段１７は、番組予告コンテンツを特定するコンテンツ管理番号と、番組予告の映像・音声情報を取得するために必要な放送チャンネル、放送開始時刻、放送終了時刻と、番組予告に関連する関連番組コンテンツ管理番号とを管理する。図４は番組予告属性情報管理手段１７で管理するメタデータの形式の一例を示す。
【００５９】
番組予告属性情報管理手段１７は、番組予告の放送開始時刻と放送終了時刻を適時に番組予告抽出手段１２における開始・終了監視手段１５に受け渡すとともに、コンテンツ管理番号を確認支援用データ抽出制御手段１６に受け渡す。
【００６０】
メタデータ抽出手段１１から番組本編属性情報を受け取った番組本編属性情報管理手段１８は、メタデータの情報が番組本編のものであると判定されたメタデータのうち、コンテンツ管理番号、放送チャンネル、放送開始時刻、放送終了時刻を１つのレコードとし、各レコードを一意に特定可能なインデックスを付与して管理する。図５は番組本編属性情報管理手段１８で管理するメタデータの形式の一例を示す。
【００６１】
番組予告抽出手段１２において、開始・終了監視手段１５は番組予告属性情報管理手段１７から受け取った放送開始時刻を比較基準に設定し、基準時刻生成手段１４からの基準時刻が設定した放送開始時刻に到達するのを監視する。基準時刻が放送開始時刻になったとき、開始・終了監視手段１５はその旨を確認支援用データ抽出制御手段１６に通知する。この通知を受けた確認支援用データ抽出制御手段１６は、番組予告属性情報管理手段１７から受け取っていたコンテンツ管理番号に該当する放送信号において、データ分離手段１０からの映像データと音声データをコンテンツ確認支援用データとして記録媒体２２への記録を開始する。記録媒体２２でのコンテンツ確認支援用データの記録位置（例えば、アドレス）の算出は、事前にコンテンツ確認支援用データ転送手段２１で決定する。開始・終了監視手段１５は、基準時刻が放送開始時刻に達したことを通知した後、番組予告属性情報管理手段１７から番組終端特定情報を設定する。そして、番組終端特定情報から算出した条件に達したら、確認支援用データ抽出制御手段１６はコンテンツ確認支援用データの抽出記録を終了する。コンテンツ確認支援用データ転送手段２１は、記録媒体２２に記録したコンテンツ確認支援用データについてのコンテンツ管理番号と記録位置をダイジェスト属性情報管理手段２０に通知する。上記のコンテンツ確認支援用データの記録媒体２２への蓄積は、番組本編が放送されるのに先立って行われる。
【００６２】
確認支援用データ抽出制御手段１６がコンテンツ確認支援用データの抽出記録を行う対象は、メタデータ抽出手段１１で抽出した属性情報が番組予告属性情報の場合に限られる。したがって、番組本編と番組予告の区別を問わずに記録を継続する従来技術に比べて、本実施の形態の場合は番組予告に限定しているので、定常時の処理負荷および記録媒体２２の容量が軽減される。加えて、番組本編放送時にはコンテンツ確認支援用データの抽出記録を行わないため、処理効率の低下が抑制される。
【００６３】
一方、ダイジェスト保存管理手段１３において、番組予告関連番組検索手段１９は、番組予告属性情報管理手段１７に保存されているレコードの関連番組コンテンツ管理番号を読み込み、番組本編属性情報管理手段１８に保存されているレコードのコンテンツ管理番号と一致するレコードを探索し、一致するときはその旨をダイジェスト属性情報管理手段２０に通知する。関連番組コンテンツ管理番号の探索については、番組本編属性情報管理手段１８の各レコードに付与されているインデックスの順序に従って行う。
【００６４】
なお、関連番組コンテンツ管理番号の探索は、他の方法で行ってもかまわない。
【００６５】
ダイジェスト属性情報管理手段２０は、番組予告関連番組検索手段１９から番組予告の関連番組コンテンツ管理番号と番組本編のコンテンツ管理番号とが一致したとの通知を受け取ったときは、番組予告属性情報管理手段１７からは番組予告のコンテンツ管理番号を読み込み、番組本編属性情報管理手段１８からは番組予告の関連番組コンテンツ管理番号、関連番組本編の放送チャンネル、関連番組本編の放送開始時刻、関連番組本編の放送終了時刻を読み込み、さらにコンテンツ確認支援用データ転送手段２１からはコンテンツ管理番号、ダイジェスト映像データおよびダイジェスト音声データの記録位置およびその記録サイズ情報を読み込む。このデータ形式およびデータ間の相関関係の一例を図６に示す。
【００６６】
なお、図６では、コンテンツ確認支援用データの記録位置およびその記録サイズ情報を用いて説明したが、例えば、記録開始位置情報と記録終端位置情報など記録媒体上での格納位置が一意に特定可能な他の情報を用いてもよい。
【００６７】
なお、図６では、ダイジェスト属性情報を１つのテーブルの形式で説明したが、複数のテーブルを用いた構成としてもよい。
【００６８】
以上の結果として、関連番組の属性情報を含む番組予告の映像・音声データをコンテンツ確認支援用データとして記録媒体２２にあらかじめ蓄積しておくとともに、その蓄積においてコンテンツ確認支援用データの記録位置とリンクするダイジェストを保存管理することができる。
【００６９】
なお、メタデータの管理の形式について、本実施の形態では番組予告属性情報管理手段１７でも番組本編属性情報管理手段１８でもダイジェスト属性情報管理手段２０でも表形式としているが、その他の方法を用いてもよい。
【００７０】
なお、ダイジェスト属性情報管理手段２０はコンテンツ確認支援用データ転送手段２１からコンテンツ管理番号を取得しているが、記録媒体２２にコンテンツ管理番号を記録し、記録媒体２２を経由してダイジェスト属性情報管理手段２０にてコンテンツ管理番号を取得してもかまわない。
【００７１】
上記の説明ではデジタル放送を前提としたが、これに代えて、アナログ放送からダイジェストを生成する場合も考えられる。例えば、番組予告抽出手段１２において、確認支援用データ抽出制御手段１６の前段で、番組本編と番組予告との放送切り替えの境界を音声のステレオとモノラルの切り替えで監視し、切り替え発生直後から１５秒間というＣＭ放送時間間隔で番組予告映像・音声データをコンテンツ確認支援用データとして記録媒体２２に記録するように構成することが考えられる。あるいは、番組予告映像データから文字情報を抽出し、メタデータ化する方法が考えられる。番組予告映像データの中でフレーム間の動きが少ない区間では、タイトルなどのコンテンツの内容を表す文字情報などが表示されている可能性が高い。そこで、その区間に含まれる番組予告映像データから１フレーム分の画像データを切り出し、切り出した画像データに含まれる文字情報を画像解析によりメタデータとして抽出すればよい。さらに、抽出した文字情報を通信媒体経由で独自のデータベースやインターネット上の情報と照合し、文字情報に関連する情報をメタデータとしてダイジェスト保存管理手段１３に転送する方法も考えられる。こうすれば、メタデータを用いなくても、番組予告と番組本編情報を関連付けることが可能となる。
【００７２】
なお、アナログ放送から番組予告映像データ・番組予告音声データ、メタデータを抽出する方法は、他の方法を用いてもよい。
【００７３】
また、すでに記録されているダイジェストと同一ダイジェストが検出された場合には、重複管理を回避するように構成する。メタデータ抽出手段１１で抽出した番組予告属性情報に含まれる番組予告のコンテンツ管理番号が、ダイジェスト保存管理手段１３で保存管理されているダイジェスト属性情報のコンテンツ管理番号と一致するか否かでダイジェストの重複判定が可能である。
【００７４】
なお、コンテンツ管理番号以外で重複判定を行ってもよい。新たに抽出した番組予告映像・音声データおよび新たにメタデータから生成したダイジェスト属性情報を破棄することで重複を回避する。
【００７５】
なお、ダイジェスト重複の判定は、番組予告映像・音声データを記録媒体２２に記録する以前、あるいは以後のいずれかの時点で行うことが可能である。特に、番組予告映像・音声データを記録媒体２２に記録する前に行う場合には、繰り返し放送される同一番組予告の映像・音声データを記録媒体２２に記録することがなくなるため、記録媒体２２の容量の削減が可能となる。
【００７６】
以上要するに本実施の形態によれば、番組本編内容を確認する上で有用なコンテンツ確認支援用データを番組予告映像・音声データの抽出により行うため、番組本編からハイライトシーンを検出する機構や、抽出したハイライトシーンのみを収集して１つのコンテンツにまとめる機構は必要でなく、より少ない構成で動画による番組内容確認システムの構築が可能となる。
【００７７】
さらに、放送事業者が提供する番組予告をそのまま利用することで、視聴者に対する番組予告の提示の機会をより多く確保できる。
【００７８】
（実施の形態２）
本発明の実施の形態２は、放送時刻前に番組本編内容についてのコンテンツ確認支援用データを動画のかたちで視聴者に提示する技術である。
【００７９】
図７は本発明の実施の形態２におけるコンテンツ視聴支援装置の構成を表すブロック図である。図７において、実施の形態１の図１におけるのと同じ符号は同一構成要素を指している。本実施の形態に特有の構成は、次のとおりである。図７において、２３はダイジェスト保存管理手段１３におけるダイジェスト属性情報管理手段２０で保存管理しているダイジェストの中から所望の条件に従って複数個のダイジェストを選択し、それらを連結して番組化するダイジェスト番組編集手段、２４はダイジェスト番組編集手段２３で生成したダイジェスト番組に登録された順序で記録媒体２２から該当する番組予告映像データ・番組予告音声データを読み出し、後述するデコード手段２６へ転送するダイジェスト番組再生制御手段、２５はダイジェスト番組再生制御手段２４にダイジェスト番組の再生開始の要求を伝達するダイジェスト番組再生要求手段、２６はダイジェスト番組再生制御手段２４を介して記録媒体２２から読み出されたコンテンツ確認支援用データをデコードするデコード手段、２７はデコード手段２６でデコードされたコンテンツ確認支援用データを外部に接続の表示装置２８に出力する出力手段である。ダイジェスト番組再生要求手段２５については、要求伝達の専用ボタン、あるいは他の機能と兼用されたボタンを用いる。これらのボタンは、リモコンなど遠隔操作可能な端末に具備させてもよい。
【００８０】
なお、その他の構成については、実施の形態１と同様であるので、説明を省略する。
【００８１】
次に、上記のように構成された本実施の形態のコンテンツ視聴支援装置の動作を説明する。
【００８２】
ダイジェスト番組編集手段２３は、ダイジェスト属性情報管理手段２０に保存しているダイジェスト属性情報を読み込み、ダイジェスト番組再生時に視聴者に提示するコンテンツ確認支援用データの順序を決定する。ここで、ダイジェスト番組に含めるダイジェストの選択基準として、視聴者の視聴履歴情報、視聴者の嗜好情報、視聴者によって外部から与えられたキーワード、視聴者の視聴傾向などの情報を利用する。さらには選択基準として、時間情報を利用し、番組本編の放送開始時刻が現在時刻に近いほど選択確率を高くしたり、すでに現在時刻が番組本編の放送終了時刻を過ぎている場合には、ダイジェスト番組に含めないようにしてもよい。
【００８３】
ダイジェスト番組編集手段２３で決定したコンテンツ確認支援用データの提示順序情報は、ダイジェスト提示リストの形式で保存する。図８にダイジェスト提示リストの一例を示す。ダイジェスト提示リストへのダイジェストの登録は、ダイジェスト属性情報管理手段２０から抽出したダイジェスト属性情報テーブルの各レコードの情報をコピーし、ダイジェスト属性情報テーブルで付与されていたインデックスを再生順序Ｎｏに付け替えることで行う。ダイジェスト提示リストへのダイジェストの登録は、前記のダイジェスト属性情報テーブルの各レコードの情報をコピーするステップと、再生順序Ｎｏを付け替えるステップの繰り返しにより行う。
【００８４】
なお、ダイジェスト提示リストに含めるダイジェストの数については、ダイジェスト個数の上限値を参考に決定してもよいし、番組化した際の全視聴時間などの情報を基準に決定してもよい。ダイジェスト再生順序情報の管理を表形式で行っているが、他の方法を用いてもよい。
【００８５】
ダイジェスト番組再生制御手段２４は、ダイジェスト番組編集手段２３で作成したダイジェスト提示リストからコンテンツ確認支援用データの記録位置および記録サイズを判断し、記録媒体２２から該当するコンテンツ確認支援用データを読み出してデコード手段２６へ転送する制御を行う。
【００８６】
図９を用いて、ダイジェスト番組再生制御手段２４によるダイジェスト番組の再生処理の手順の一例を説明する。ダイジェスト番組再生制御手段２４は、ステップＳ２０にてダイジェスト番組再生要求手段２５よりダイジェスト再生要求を受け付けることで動作を開始する。ステップＳ２１にて、ダイジェスト番組編集手段２３で作成したダイジェスト提示リストのオープン処理を行う。続いてステップＳ２２にて、ダイジェスト提示リストの読み込み開始位置を表すポインタを“再生Ｎｏ＝１”に設定し、ダイジェスト番組再生制御手段２４の初期化処理を完了する。次いでステップＳ２３にて、現在の再生Ｎｏに対応するダイジェストが存在するか判定を行う。現在の再生Ｎｏに対応するダイジェストが存在する場合には、ステップＳ２４にて、現在の再生Ｎｏに対応するダイジェストの“番組予告記録開始位置”と“番組予告記録サイズ”を読み込む。次いでステップＳ２５にて、記録媒体２２に対して“記録開始位置”と“記録サイズ”を指定して該当する番組予告映像データ・番組予告音声データを読み出し、デコード手段２６、出力手段２７を介して表示装置２８へ出力開始する。ステップＳ２６では、ステップＳ２５で開始したコンテンツ確認支援用データの出力が完了したことを検出する。ステップＳ２７では、ダイジェスト提示リスト上の読み込み開始位置を表す再生Ｎｏを１だけインクリメントし、ダイジェスト提示リストに登録されている次のダイジェストのコンテンツ確認支援用データの再生を開始する準備を行う。ステップＳ２４からステップＳ２７までの一連の処理は、ステップＳ２３にて現在の再生Ｎｏに対応するダイジェストが存在すると判定され続ける限り実施する。ステップＳ２３にて現在の再生Ｎｏに対応するダイジェストが存在しないと判定された場合には、ステップＳ２８にてダイジェスト提示リストのクローズ処理を行い、ダイジェスト番組の再生処理を終了する。
【００８７】
なお、ダイジェスト提示順序は、ダイジェスト提示順序リストからランダムに選択して提示を行うなど、他の方法を用いてもかまわない。
【００８８】
本実施の形態によれば、視聴者は番組本編の放送前にコンテンツ確認支援用データの動画表示を通じて番組内容を直感的に確認することができる。さらに、コンテンツ確認支援用データを自動的に順次に提示するので、多数のチャンネル、多数の番組予告が存在する場合でも、視聴者の手動操作による検索操作が不要となり、視聴者への機器操作の負荷を軽減することができる。
【００８９】
また、ダイジェスト番組編集手段２３で生成するダイジェストの提示順序リストは、視聴者がどの番組予告を視聴したかという番組予告の視聴履歴情報としてそのまま利用できる。この番組予告の視聴履歴情報をインターネット、電話回線などの通信手段を利用して外部の集計装置に転送することにより、スポンサーが番組予告単位で番組予告の評判などの効果を確認するための視聴率集計システムを構成したり、視聴者個人の嗜好情報を集計するなどのデータ集計システムを構成することも可能である。
【００９０】
（実施の形態３）
本発明の実施の形態３は、ダイジェスト番組を通じて視聴者が番組内容を直感的に確認した上で、ダイジェスト番組の中から視聴者の要求に応じて録画または視聴の予約を行う技術である。
【００９１】
図１０は本発明の実施の形態３におけるコンテンツ視聴支援装置の構成を表すブロック図である。図１０において、実施の形態２の図７におけるのと同じ符号は同一構成要素を指している。本実施の形態に特有の構成は、次のとおりである。図１０において、２９は現在再生中のダイジェストを録画または視聴の予約のために指定するダイジェスト指定手段、３０は現在提示中のダイジェストと対応付けられた関連番組の録画・視聴予約の登録・管理を行う予約管理手段、３１は予約管理手段３０で管理する番組本編属性情報の放送チャンネル、放送開始時刻、放送終了時刻を利用して、データ分離手段１０で分離した映像データ、音声データを番組本編として記録する番組本編記録手段である。
【００９２】
なお、番組本編記録手段３１の構成は、ＨＤＤ（ハードディスク）やＤＶＤなどの記録メディアを用いた既存の記録システムと同様であり、説明を省略する。
【００９３】
なお、ダイジェスト指定手段２９には、予約内容が録画予約であるか視聴予約であるかを判別可能とするために、別々に予約専用ボタンを配置してもよい。録画・視聴予約要求を伝達するボタンをダイジェスト番組再生要求手段２５に具備してもよい。
【００９４】
次に、上記のように構成された本実施の形態のコンテンツ視聴支援装置の動作を説明する。図１１は、ダイジェスト指定手段２９と予約管理手段３０を用いた録画・視聴予約の処理手順を示す。ダイジェスト番組を用いた録画・視聴予約処理は、ダイジェスト番組の再生中にダイジェスト指定手段２９から要求を受け付けることで開始する。
【００９５】
ステップＳ３０では、ダイジェスト指定手段２９からのダイジェスト番組の指定をダイジェスト番組再生制御手段２４に伝達する。
【００９６】
ステップＳ３１では、ステップＳ３０で発生した要求がどのダイジェストを再生しているときに発生したものであるか特定する。
【００９７】
ステップＳ３２では、ステップＳ３２で特定したダイジェストの属性情報を読み出し、予約管理手段３０に伝達する。
【００９８】
ステップＳ３３では、ステップＳ３２で伝達されたダイジェスト属性情報より、放送チャンネル、放送開始時刻、放送終了時刻の情報の抽出を行い、予約管理手段３０に対して登録を行う。
【００９９】
なお、図１１に示す各ステップの間に、視聴者の予約操作を確認するためのメッセージを表示するステップを追加してもよい。
【０１００】
本実施の形態によれば、コンテンツ確認支援用データ（番組予告映像・音声データ）と関連番組の属性情報をあらかじめ関連付けておくことにより、コンテンツ確認支援用データを利用した予約操作が可能である。さらに、視聴中の動画を選択するという１つのステップで予約を完了することができる。したがって、ＥＰＧなどを用いた予約システムと比べて、番組情報を確認しながらより少ないステップで予約操作を完了でき、視聴者の操作負荷を軽減することができる。
【０１０１】
（実施の形態４）
本発明の実施の形態４は、抽出したダイジェストを複数の記録媒体の中から選択して転送する技術である。
【０１０２】
図１２は本発明の実施の形態４におけるコンテンツ視聴支援装置の構成を表すブロック図である。図１２において、実施の形態１の図１におけるのと同じ符号は同一構成要素を指している。本実施の形態に特有の構成は、次のとおりである。図１２において、コンテンツ確認支援用データ転送手段２１は、番組予告映像データ・番組予告音声データを記録するため、複数の記録媒体と接続されている。
【０１０３】
図１２において、２２ａ，２２ｂ…２２ｎはコンテンツ確認支援用データ転送手段２１と同一機器内で接続される記録媒体である。また、２２ｘ，２２ｙはコンテンツ確認支援用データ転送手段２１に対して外部接続される記録媒体である。このようにコンテンツ確認支援用データ転送手段２１に対しては、同一機器内および外部に記録媒体が接続されている。
【０１０４】
なお、２２ａ〜２２ｙの記録媒体は、物理的に独立な記録媒体であっても、単一の記録媒体を複数の論理パーテーションに分割したものであってもどちらでもよい。
【０１０５】
コンテンツ確認支援用データ転送手段２１と記録媒体との接続の形態は、図１２でＡで示される領域内において、図１３（ａ）から図１４（ｄ）に示す８種類の形態での記録媒体の接続が考えられる。
【０１０６】
図１３（ａ）は、コンテンツ視聴支援装置と同一機器内に記録媒体が１つ接続される形態を表す。図１３（ｂ）は、コンテンツ視聴支援装置と同一機器内に記録媒体が複数接続される形態を表す。図１３（ｃ）は、コンテンツ視聴支援装置に対して、１つの記録媒体が外部接続される形態を表す。図１３（ｄ）は、コンテンツ視聴支援装置に対して、複数の記録媒体が外部接続される形態を表す。図１４（ａ）は、コンテンツ視聴支援装置に対して、同一機器内に記録媒体が１つ接続され、かつ、１つの記録媒体が外部接続される形態を表す。図１４（ｂ）は、コンテンツ視聴支援装置に対して、同一機器内に記録媒体が複数接続され、かつ、１つの記録媒体が外部接続される形態を表す。図１４（ｃ）は、コンテンツ視聴支援装置に対して、同一機器内に記録媒体が１つ接続され、かつ、複数の記録媒体が外部接続される形態を表す。図１４（ｄ）は、コンテンツ視聴支援装置に対して、同一機器内に記録媒体が複数接続され、かつ、複数の記録媒体が外部接続される形態を表す。
【０１０７】
コンテンツ確認支援用データ転送手段２１にて接続されている記録媒体を管理するためのデータ構造について説明する。図１５は、コンテンツ確認支援用データ転送手段２１で管理する記録媒体管理テーブルを示す。記録媒体管理テーブルは、記録媒体ごとに、記録媒体を識別するための“転送先記録媒体ＩＤ”、転送先記録媒体ＩＤに対する“アクセス許可フラグ”、“使用可能空き容量”を管理する。記録媒体管理テーブルの“アクセス許可フラグ”は、コンテンツ確認支援用データ転送手段２１から番組予告映像データと番組予告音声データの書き込みを許可または禁止するという制御のために用いる。記録媒体管理テーブルの“アクセス許可フラグ”は、ユーザによる明示的な書き込み禁止指示が行われた場合や、記録媒体の挿抜、記録媒体への電源供給のＯＮ／ＯＦＦ切り替え、事前に外部接続された記録媒体に対して他の機器から映像データ・音声データの記録予約が行われたことにより記録領域が予約されている場合に、記録媒体管理テーブルの“アクセス許可フラグ”の項目が適宜変更される。また、“アクセス許可フラグ”は、複数の機器から記録媒体にアクセスする可能性がある場合に、記録媒体へのアクセスを排他制御するための用途で利用することも考えられる。
【０１０８】
なお、“アクセス許可フラグ”は、書き込みだけでなく、読み込み制御の用途で利用してもよい。また、図１５の例では、アクセス許可状態を“１”、アクセス不許可状態を“０”と表しているが、数値による表記以外にフラグとして実装し、ＯＮ／ＯＦＦ制御を行ってもよい。また、“使用可能空き容量”は、図１５では、記録媒体上での記録サイズを用いて説明するが、他にも記録サイズの代わりに記録可能時間情報、あるいは記録媒体の総容量と現在の使用容量との差情報などを用いて管理を行ってもよい。本実施の形態では、説明の都合上、記録媒体管理テーブルに登録される際に、各記録媒体に対してｉｎｄｅｘという昇順に付与される識別子があるものとして説明する。
【０１０９】
図１６はコンテンツ確認支援用データ転送手段２１に接続される記録媒体ごとに番組予告属性情報と本編属性情報を管理するダイジェスト管理テーブルのデータ構造を表す。ダイジェスト管理テーブルでは、番組予告を特定するコンテンツ管理番号、コンテンツ管理番号に対応する番組予告映像データ・音声データが記録媒体上に記録される際の記録位置を表す番組予告記録開始位置、番組予告映像データ・音声データの記録サイズを表す番組予告記録サイズ、番組予告に関連付けられた番組本編を特定するＩＤである関連番組コンテンツ管理番号、番組本編の放送チャンネル、番組本編の放送開始時刻、番組本編の放送終了時刻を管理する。
【０１１０】
なお、ダイジェスト管理テーブルは、図１７に示すように、番組予告属性情報を管理するテーブルと番組本編属性情報を管理するテーブル、番組予告と番組本編を関連付けるコンテンツ間管理テーブルのように複数テーブルに分割して管理されていてもよい。
【０１１１】
次に、上記のように構成された本実施の形態のコンテンツ視聴支援装置の動作を説明する。
【０１１２】
図１８は、コンテンツ確認支援用データ転送手段２１での処理手順の一例を示すフローチャートである。本実施の形態では、コンテンツ確認支援用データ転送手段２１に対して複数接続されている記録媒体の中から最初に記録可能と判断した記録媒体に対して、番組予告映像データ・番組予告音声データを転送・記録する手順を説明する。
【０１１３】
ステップＳ４０では、番組予告映像データ・番組予告音声データを抽出時に計測した記録対象番組予告のダイジェスト管理テーブルより番組予告記録サイズを読み込む。
【０１１４】
ステップＳ４１では、記録媒体管理テーブルのレコードの読み込み開始位置として、記録媒体管理テーブルのｉｎｄｅｘがｎ＝１の地点を指定する。
【０１１５】
ステップＳ４２では、記録媒体管理テーブルのｉｎｄｅｘ＝ｎに対応する記録媒体管理テーブルのレコードから、転送先記録媒体ＩＤ、アクセス許可フラグ、使用可能空き容量の情報を読み出す。
【０１１６】
ステップＳ４３では、番組予告映像データ・番組予告音声データの転送先候補として、転送先記録媒体ＩＤに対応する記録媒体を選択した場合に、アクセス可能フラグの値よってアクセス許可状態にあるか判定を行う。
【０１１７】
ステップＳ４４では、番組予告映像データ・番組予告音声データの転送先候補として、転送先記録媒体ＩＤに対応する記録媒体を選択した場合に、番組予告映像データと番組予告音声データの総データ量が記録媒体の利用可能空き容量と比較して記録可能であるか判定を行う。
【０１１８】
ステップＳ４５では、ステップＳ４３とステップＳ４４の判定結果から、転送先記録媒体ＩＤに対応する記録媒体で記録可能と判定した場合に、記録媒体ＩＤ＝ｎに対応するダイジェスト管理テーブルに対して、番組予告および番組本編情報を追加する。
【０１１９】
ステップＳ４６では、ステップＳ４５でダイジェスト管理テーブルに追加した番組予告に対応する番組予告映像データ・番組予告音声データを指定された記録媒体に転送し、記録する。
【０１２０】
ステップＳ４７では、ステップＳ４６で番組予告を記録後の記録媒体の空き容量を更新する。
【０１２１】
ステップＳ４８では、ステップＳ４３またはステップＳ４４でｉｎｄｅｘ＝ｎに対応する記録媒体に対して番組予告が記録できなかった場合に、記録媒体管理テーブルに他の記録媒体の管理情報が存在するかチェックを行う。
【０１２２】
ステップＳ４９では、ステップＳ４８で記録媒体管理テーブルの未参照のレコードが存在する場合に、次の転送先候補となる記録媒体管理情報読み込み位置を指示する。
【０１２３】
ステップＳ５０は、記録媒体管理テーブルに登録されているすべての記録媒体で番組予告が記録できなかった場合のエラー処理を表すステップである。
【０１２４】
なお、図１９は記録媒体管理テーブルのｉｎｄｅｘの順に使用可能な記録媒体の判定を行っているが、空き容量の多いものから順に選択するなど、他の基準により転送先記録媒体を決定してもかまわない。
【０１２５】
図１９に番組予告コンテンツ記録時の記録媒体管理テーブルとダイジェスト管理テーブルの更新される例を示す。図１９では、記録対象となる番組予告が記録媒体ＩＤが００１の記録媒体に転送される場合であり、コンテンツ確認支援用データ転送手段２１で選択した転送先に対応する記録媒体ＩＤに対応するダイジェスト管理テーブルに対して、記録した番組予告に対応するダイジェスト属性情報が追加される。また、記録媒体管理テーブルにおける使用可能空き容量の欄も、記録媒体ＩＤが００１に対応する項目が番組予告コンテンツのデータサイズ分だけ減算される。
【０１２６】
また、図２０に記録媒体が複数接続される場合のダイジェスト再生リストの作成例を示す。複数の記録媒体に分散して記録されている番組予告を特定するための情報として、前述の実施の形態２の図８の番組予告に対応する記録媒体ＩＤをダイジェスト番組再生リストに付加することで実現可能となる。
【０１２７】
本実施の形態によれば、単一記録媒体にて確保可能な記録容量に限界がある場合でも、同一機器内部に複数の記録媒体を用意して、分散記録することにより、より多くの記録容量を確保することが可能となるという効果が得られる。また、同一機器に複数の記録媒体を搭載することは物理的空間の制約を受けるため、機器内の部品レイアウトによっては搭載不能となる場合があるが、外部機器として記録媒体を接続することによって、記録媒体は物理的空間の制限が緩和されるという効果がある。また、既存の機器の構成をそのまま利用して記録容量の拡張が可能となるという効果がある。特に、外部機器として記録媒体を追加し、さらにネットワーク、放送波からのダウンロードによりソフトウェア入れ替えを行うことで、本発明の機能を既存機器に追加することが可能となるという効果がある。さらに、ユーザが所有する他の機器の記録媒体に空き容量がある場合には、その記録媒体を外部接続可能な記録媒体として利用することで、機器間で記録媒体をより有効利用できるという効果がある。
【０１２８】
上記実施の形態４では、記録可能な記録媒体と判断した場合に、抽出した番組予告映像データ・番組予告音声データを転送し、記録する方法を説明したが、他の方法として、コンテンツ確認支援用データ転送手段２１において、番組予告属性情報を利用した番組予告映像データ・番組予告音声データの転送先の振り分け制御を行うことも可能である。
【０１２９】
コンテンツ確認支援用データ転送手段２１にて番組予告を振り分けるために参照する転送先選択テーブルのデータ構造について説明する。図２１は、コンテンツ確認支援用データ転送手段２１で参照する転送先選択テーブルのデータ構造を表す。転送先選択テーブルでは、選択基準となるキーワードとキーワードに対応する転送先記録媒体ＩＤの情報を１組のデータとして管理する。
【０１３０】
コンテンツ確認支援用データ転送手段２１は、番組本編属性情報の特定項目に着目して転送先記録媒体を区分し、区分された記録媒体への番組予告映像データと番組予告音声データを転送し、記録媒体の空き容量の情報を更新する処理を行う。
【０１３１】
図２２および図２３は、本編特定情報の大分類で区分し、転送先選択テーブルを参照してコンテンツ確認支援用データ転送手段２１において転送先記録媒体を振り分ける処理手順を示すフローチャートの一例である。本実施の形態では、コンテンツ確認支援用データ転送手段２１に対して複数接続されている記録媒体の中から番組本編属性情報として保持する“大分類"の項目が、転送先選択テーブルの選択基準として登録されている文字列と一致する場合に、指定された記録媒体に対して、番組予告映像データ・番組予告音声データを転送・記録する手順を説明する。
【０１３２】
ステップＳ５１では、番組本編属性情報から、大分類の情報を読み込む。
【０１３３】
ステップＳ５２では、転送先選択テーブルの読み込み開始位置を設定する。本実施の形態では、転送先選択テーブルのレコードの読み込み開始位置として、転送先選択テーブルのｉｎｄｅｘがｍ＝１の地点を指定する。
【０１３４】
ステップＳ５３では、転送先選択テーブルのｉｎｄｅｘ＝ｍが示す転送先選択基準を読み込む。
【０１３５】
ステップＳ５４では、番組本編の大分類とステップＳ５３で読み込んだ選択基準を比較する。大分類と選択基準の比較は、文字列の一致により判定を行う。
【０１３６】
ステップＳ５５では、ステップＳ５４で番組本編の大分類が選択基準と一致した場合の転送先記録媒体ＩＤを読み込む。
【０１３７】
ステップＳ５６では、ステップＳ５４で番組本編の大分類が選択基準と不一致の場合に、転送先選択テーブルに他の記録媒体の管理情報が存在するかチェックを行う。
【０１３８】
ステップＳ５７では、ステップＳ５６で転送先選択テーブルの未参照のレコードが存在する場合に、次の選択基準候補となるレコードの読み込み位置を指示する。
【０１３９】
ステップＳ５８では、番組予告映像データ・番組予告音声データを抽出時に計測した記録対象番組予告のダイジェスト管理テーブルより番組予告記録サイズを読み込む。
【０１４０】
ステップＳ５９では、記録媒体管理テーブルのレコードの読み込み開始位置として、記録媒体管理テーブルのｉｎｄｅｘがｎ＝１の地点を指定する。
【０１４１】
ステップＳ６０では、記録媒体管理テーブルのｉｎｄｅｘ＝ｎに対応する記録媒体管理テーブルのレコードから、転送先記録媒体ＩＤ、アクセス許可フラグ、使用可能空き容量の情報を読み出す。
【０１４２】
ステップＳ６１では、ステップＳ６０で読み出した転送先記録媒体ＩＤが、ステップＳ５５で読み出した転送先記録媒体ＩＤと一致するか判定を行う。
【０１４３】
ステップＳ６２では、番組予告映像データ・番組予告音声データの転送先候補として、転送先記録媒体ＩＤに対応する記録媒体を選択した場合に、アクセス許可状態にあるかアクセス可能フラグの値より判定を行う。
【０１４４】
ステップＳ６３では、番組予告映像データ・番組予告音声データの転送先候補として、転送先記録媒体ＩＤに対応する記録媒体を選択した場合に、番組予告映像データと番組予告音声データの総データ量が記録媒体の利用可能空き容量と比較して記録可能であるか判定を行う。
【０１４５】
ステップＳ６４では、ステップＳ６２、ステップＳ６３の判定結果から、転送先記録媒体ＩＤに対応する記録媒体で記録可能と判定した場合に、記録媒体ＩＤ＝ｎに対応するダイジェスト管理テーブルに対して、番組予告および番組本編情報を追加する。
【０１４６】
ステップＳ６５では、ステップＳ６４でダイジェスト管理テーブルに追加した番組予告に対応する番組予告映像データ・番組予告音声データを指定された記録媒体に転送し、記録する。
【０１４７】
ステップＳ６６では、ステップＳ６５で番組予告を記録後の記録媒体の空き容量を更新する。
【０１４８】
ステップＳ６７では、ステップＳ６２またはステップＳ６３でｉｎｄｅｘ＝ｎに対応する記録媒体に対して番組予告が記録できなかった場合に、記録媒体管理テーブルに他の記録媒体の管理情報が存在するかチェックを行う。
【０１４９】
ステップＳ６８では、ステップＳ６７で記録媒体管理テーブルの未参照のテーブルが存在する場合に、次の転送先候補となる記録媒体管理情報読み込み位置を指示する。
【０１５０】
ステップＳ６９では、記録媒体で番組予告が記録できなかった場合のエラー処理を行う。
【０１５１】
図２２および図２３の転送先振り分け処理を行うことにより、図２０で示した転送先記録媒体の決定手順と比較して、蓄積した番組予告の中から特定の番組予告を検索する際に、転送先選択テーブルで管理されている選択基準の情報を参考にすることで、記録された記録媒体の特定が容易となるという効果が得られる。また、番組本編の視聴・録画予約を行うためのダイジェスト番組の作成に当たっては、番組予告を蓄積する際に分類を行いながら記録を行っているため、同一ジャンルの番組予告を集めたダイジェスト番組の作成がより容易となるという効果が得られる。
【０１５２】
さらに、抽出した番組予告映像データ・番組予告音声データを転送する記録媒体を選択する方法として、コンテンツ確認支援用データ転送手段２１において、ユーザが直接指定した記録媒体に対して番組予告映像データ・番組予告音声データを転送し、記録媒体の空き容量の情報を更新することも可能である。
【０１５３】
図２４は、コンテンツ確認支援用データ転送手段２１においてユーザが指定した記録媒体に対して、番組予告映像データ・番組予告音声データを転送・記録する手順の一例である。
【０１５４】
なお、ユーザが記録媒体を指定する方法は、転送候補となる記録媒体の一覧が表示されたメニューの中から１つを選択するなどの方法が考えられるが、他の方法で転送先記録媒体を指定してもよい。
【０１５５】
ステップＳ７０では、ユーザが指定した転送先記録媒体に対応する転送先記録媒体ＩＤを読み込む。
【０１５６】
ステップＳ７１では、番組予告映像データと番組予告音声データの記録サイズを読み込む。
【０１５７】
ステップＳ７２では、ステップＳ７０で指定された転送先記録媒体ＩＤの接続状態情報を記録媒体管理テーブルから検索し、アクセス許可フラグおよび使用可能空き容量の情報を読み込む。
【０１５８】
ステップＳ７３では、ステップＳ７２で取得したアクセス許可フラグをチェックする。アクセス許可フラグが“１”の場合はステップＳ７４に進み、“０”の場合には、指定された記録媒体は他の制約事項により番組予告の記録が行えない状態にあると判定し、ステップＳ７８のエラー処理に移る。
【０１５９】
ステップＳ７４では、ステップＳ７２で取得した使用可能空き容量をチェックする。ステップＳ７１で取得した、番組予告の記録サイズと使用可能空き容量を比較し、使用可能空き容量が大きいか等しい場合には、ステップＳ７５以降の番組予告の記録処理に移る。使用可能空き容量が番組予告記録サイズよりも小さい場合には、ステップＳ７８のエラー処理に移る。
【０１６０】
ステップＳ７５は、ステップＳ７３とステップＳ７４により、番組予告が指定された記録媒体で記録可能と判定した場合の処理であり、指定記録媒体ＩＤに対応するダイジェスト管理テーブルに対して、番組予告情報の追加を行う。
【０１６１】
ステップＳ７６では、ステップＳ７５で追加した番組予告に対応する番組予告映像データ・番組予告音声データを指定された記録媒体に転送し、記録を行う。
【０１６２】
ステップＳ７７では、ステップＳ７６で番組予告記録後の記録媒体の空き容量を更新する。
【０１６３】
ステップＳ７８では、指定された記録媒体に番組予告を記録できなかった場合のエラー処理を行う。エラー処理としては、番組予告を記録できなかったことを表示して番組予告の保存処理を行わない方法や、あらかじめ記録可能な記録媒体をデフォルトの記録媒体として定義しておき、その記録媒体に対して番組予告を記録するなどの方法が考えられるが、他の方法でエラー処理を行ってもよい。
【０１６４】
図２４で示す手順でユーザに指定された記録媒体への番組予告転送を行うことにより、番組本編の視聴・録画予約を行うためのダイジェスト番組の作成に当たっては、現在視聴中のユーザが特定されれば、特定のユーザに特化した番組予告を編集することで、ダイジェスト番組の作成がより容易となるという効果が得られる。
【０１６５】
さらに、抽出した番組予告映像データ・番組予告音声データを転送する記録媒体を選択する方法として、コンテンツ確認支援用データ転送手段２１に対してユーザに指定された基準情報と一致または類似する場合に、特定の記録媒体に対して番組予告映像データ・番組予告音声データを転送し、記録媒体の空き容量の情報を更新することも可能である。
【０１６６】
図２５および図２６は、キーワードに対応した記録媒体に対して、番組予告映像データ・番組予告音声データを転送・記録する手順の一例を説明する。
【０１６７】
なお、ユーザがキーワードを入力する方法は、リモコンなどボタン操作による文字入力などの方法が考えられるが、他の方法でキーワードを指定してもよい。
【０１６８】
図２５および図２６の例では、図２１に示した転送先選択テーブルを参照することにより行うものとして説明する。
【０１６９】
ステップＳ８０では、ユーザが指定したキーワードを読み込む。
【０１７０】
ステップＳ８１では、番組予告映像データと番組予告音声データの記録サイズを読み込む。
【０１７１】
ステップＳ８２では、番組予告に対応する番組本編属性情報を読み出す。図２５および図２６のフローでは、番組本編属性情報として“タイトル"、“大分類"、“小分類"、“出演者"の情報を読み出すが、番組本編属性情報に他の項目が設けられている場合には、それらの項目に対応する情報を読み出すようにしてもよい。
【０１７２】
ステップＳ８３では、ステップＳ８０でユーザが指定したキーワードと番組予告のタイトルを比較し、タイトルの一部、あるいはすべてが一致するか判定を行う。もしも、前記条件に一致する場合は、キーワードに該当する番組予告であると判定し、ステップＳ８７に分岐する。一方、一致しない場合には、ステップＳ８４に進む。
【０１７３】
ステップＳ８４では、ステップＳ８０でユーザが指定したキーワードと番組予告の大分類に登録されている文字列との比較を行い、大分類の一部、あるいはすべてが一致するか判定を行う。もしも、前記条件に一致する場合は、キーワードに該当する番組予告であると判定し、ステップＳ８７に分岐する。一方、一致しない場合には、ステップＳ８５に進む。
【０１７４】
ステップＳ８５では、ステップＳ８０でユーザが指定したキーワードと番組予告の小分類に登録されている文字列との比較を行い、小分類の一部、あるいはすべてが一致するか判定を行う。もしも、前記条件に一致する場合は、キーワードに該当する番組予告であると判定し、ステップＳ８７に分岐する。一方、一致しない場合には、ステップＳ８６に進む。
【０１７５】
ステップＳ８６では、ステップＳ８０でユーザが指定したキーワードと番組予告の出演者に登録されている文字列との比較を行い、出演者と一致するか判定を行う。もしも、前記条件に一致する場合は、キーワードに該当する番組予告であると判定し、ステップＳ８７に分岐する。一方、一致しない場合には、ステップＳ８８に進む。
【０１７６】
ステップＳ８７では、キーワードに該当する番組予告の転送先記録媒体ＩＤを検索する。転送先選択テーブルの選択基準の項目に指定されたキーワードが存在する場合には、ステップＳ８９の処理に進む。一方、選択基準の項目に指定されたキーワードが存在しない場合には、ステップＳ８８の処理に進む。
【０１７７】
ステップＳ８８では、キーワードと対応付けられた記録媒体が存在しない場合に、転送先記録媒体として、あらかじめ設定されたデフォルトの記録媒体ＩＤを指定する。
【０１７８】
ステップＳ８９は、転送先選択テーブルの選択基準の項目に指定されたキーワードが存在する場合の処理であり、対応する記録媒体ＩＤを指定先記録媒体ＩＤとして取得する。
【０１７９】
ステップＳ９０では、ステップＳ８８またはステップＳ８９で指定された転送先記録媒体ＩＤの接続状態情報を記録媒体管理テーブルから検索し、アクセス許可フラグおよび使用可能空き容量を取得する。
【０１８０】
ステップＳ９１は、ステップＳ９０で取得したアクセス許可フラグをチェックする。アクセス許可フラグが“１”の場合はステップＳ９２に進み、“０”の場合には、指定された記録媒体は他の制約事項により番組予告の記録が行えない状態にあると判定し、ステップＳ９６のエラー処理に移る。
【０１８１】
ステップＳ９２は、ステップＳ９０で取得した使用可能空き容量をチェックする。ステップＳ９０で取得した、番組予告の記録サイズと使用可能空き容量を比較し、使用可能空き容量が大きいか等しい場合には、ステップＳ９３以降の番組予告の記録処理に移る。使用可能空き容量が番組予告記録サイズよりも小さい場合には、ステップＳ９６のエラー処理に移る。
【０１８２】
ステップＳ９３は、ステップＳ９１とステップＳ９２で番組予告が指定された記録媒体で記録可能と判定した場合の処理であり、指定記録媒体ＩＤに対応するダイジェスト管理テーブルに対して、番組予告情報の追加を行う。
【０１８３】
ステップＳ９４では、ステップＳ９３で追加した番組予告に対応する番組予告映像データ・番組予告音声データを指定された記録媒体に転送し、記録を行う。
【０１８４】
ステップＳ９５では、ステップＳ９４で番組予告を記録後の記録媒体の空き容量を更新する。
【０１８５】
ステップＳ９６は、指定された記録媒体に番組予告を記録できなかった場合のエラー処理を表す。エラー処理としては、番組予告を記録できなかったことを表示して番組予告の保存処理を行わない方法や、あらかじめ記録可能な記録媒体をデフォルトの記録媒体として定義しておき、その記録媒体に対して番組予告を記録するなどの方法が考えられるが、いずれの方法でエラー処理を行ってもよい。
【０１８６】
図２５および図２６で示す手順でユーザに指定されたキーワードを選択基準として番組予告の転送先を決定することで、番組本編の視聴・録画予約を行うためのダイジェスト番組の作成に当たっては、キーワードがユーザの嗜好情報を反映していることから、転送先選択として設定されている記録媒体から番組予告を抽出してダイジェスト番組を作成することで、よりユーザ嗜好を反映したダイジェスト番組の作成が可能となるという効果が得られる。
【産業上の利用可能性】
【０１８７】
本発明は、放送波等によって伝達される放送コンテンツの受信端末において、放送開始時刻以前に番組本編内容を表す映像音声情報をコンテンツ確認支援用データとして取得可能にし、視聴者の番組検索および番組の録画(・録音)・視聴の予約操作を支援するシステムとして有用である。なお、映像音声情報とは、音声情報のみでもかまわない。
【図面の簡単な説明】
【０１８８】
【図１】本発明の実施の形態１におけるコンテンツ視聴支援装置の構成を示すブロック図
【図２】本発明の実施の形態１におけるメタデータのデータ構造図
【図３】本発明の実施の形態１におけるメタデータ抽出部で行うメタデータ処理のフローチャート
【図４】本発明の実施の形態１における番組予告属性情報管理部で管理する番組予告属性情報のデータ構造図
【図５】本発明の実施の形態１における番組本編属性情報管理部で管理する番組本編属性情報のデータ構造図
【図６】本発明の実施の形態１におけるダイジェスト属性情報管理部で管理するダイジェスト属性情報のデータ構造図
【図７】本発明の実施の形態２におけるコンテンツ視聴支援装置（ダイジェスト提示機能付き）の構成を示すブロック図
【図８】本発明の実施の形態２におけるダイジェスト属性情報テーブルおよびダイジェスト提示リストのデータ構造図
【図９】本発明の実施の形態２におけるダイジェスト再生制御部で行う処理手順を示すフローチャート
【図１０】本発明の実施の形態３におけるコンテンツ視聴支援装置（録画・視聴予約機能付き）の構成を示すブロック図
【図１１】本発明の実施の形態３における録画・視聴予約処理の処理手順を示すフローチャート
【図１２】本発明の実施の形態４におけるコンテンツ視聴支援装置の構成を表すブロック図
【図１３】本発明の実施の形態４における記録媒体の接続例を示すブロック図（その１）
【図１４】本発明の実施の形態４における記録媒体の接続例を示すブロック図（その２）
【図１５】本発明の実施の形態４における記録媒体管理テーブルのデータ構造図
【図１６】本発明の実施の形態４におけるダイジェスト管理テーブルのデータ構造図
【図１７】本発明の実施の形態４における図１６のダイジェスト管理テーブルを分割したデータ構造例
【図１８】本発明の実施の形態４における番組予告の転送先記録媒体を決定し、番組予告を記録する手順を示すフローチャート
【図１９】本発明の実施の形態４における複数記録媒体に対して番組予告を転送・記録する際のデータ更新例の説明図
【図２０】本発明の実施の形態４における複数記録媒体に記録されている番組予告からダイジェスト番組を作成する際のデータ生成例の説明図
【図２１】本発明の実施の形態４における転送先選択テーブルのデータ構造図
【図２２】本発明の実施の形態４における番組予告属性情報の大分類の項目を利用して転送先記録媒体を決定し、番組予告を記録する手順を示すフローチャート（その１）
【図２３】本発明の実施の形態４における番組予告属性情報の大分類の項目を利用して転送先記録媒体を決定し、番組予告を記録する手順を示すフローチャート（その２）
【図２４】本発明の実施の形態４におけるユーザにより指定された記録媒体に対して番組予告を記録する手順を示すフローチャート
【図２５】本発明の実施の形態４におけるユーザにより指定されたキーワードに応じて転送先記録媒体を判定し、番組予告を記録する手順を示すフローチャート（その１）
【図２６】本発明の実施の形態４におけるユーザにより指定されたキーワードに応じて転送先記録媒体を判定し、番組予告を記録する手順を示すフローチャート（その２）
【図２７】特許文献１に記載されているタイム・テーブル図
【符号の説明】
【０１８９】
１０  データ分離手段
１１  メタデータ抽出手段
１２  番組予告抽出手段
１３  ダイジェスト保存管理手段
１４  基準時刻生成手段
１５  開始・終了監視手段
１６  確認支援用データ抽出制御手段
１７  番組予告属性情報管理手段
１８  番組本編属性情報管理手段
１９  番組予告関連番組検索手段
２０  ダイジェスト属性情報管理手段
２１  コンテンツ確認支援用データ転送手段
２２，２２ａ〜２２ｙ  記録媒体
２３  ダイジェスト番組編集手段
２４  ダイジェスト番組再生制御手段
２５  ダイジェスト番組再生要求手段
２６  デコード手段
２７  出力手段
２８  表示装置
２９  ダイジェスト指定手段
３０  予約管理手段
３１  番組本編記録手段
３２  コンテンツ視聴支援装置
【図１】
2008028985.tif 000003
【図２】
2008028985.tif 000004
【図３】
2008028985.tif 000005
【図４】
2008028985.tif 000006
【図５】
2008028985.tif 000007
【図６】
2008028985.tif 000008
【図７】
2008028985.tif 000009
【図８】
2008028985.tif 000010
【図９】
2008028985.tif 000011
【図１０】
2008028985.tif 000012
【図１１】
2008028985.tif 000013
【図１２】
2008028985.tif 000014
【図１３】
2008028985.tif 000015
【図１４】
2008028985.tif 000016
【図１５】
2008028985.tif 000017
【図１６】
2008028985.tif 000018
【図１７】
2008028985.tif 000019
【図１８】
2008028985.tif 000020
【図１９】
2008028985.tif 000021
【図２０】
2008028985.tif 000022
【図２１】
2008028985.tif 000023
【図２２】
2008028985.tif 000024
【図２３】
2008028985.tif 000025
【図２４】
2008028985.tif 000026
【図２５】
2008028985.tif 000027
【図２６】
2008028985.tif 000028
【図２７】
2008028985.tif 000029